(57)【要約】【課題】人体の皮膚に固定するための固定部材の交換を容易に行う。【解決手段】電子機器は、生体信号取得装置と、第１シートと、第２シートとを具備する。生体信号取得装置は、人体の皮膚に固定した状態で人体の生体信号を取得する。第１シートは、生体信号取得装置と接着するための一の面と、他のシートと接着するための他の面とを備える。また、第１シートの一の面および生体信号取得装置間における単位面積当たりの接着力よりも、第１シートの他の面および他のシート間における単位面積当たりの接着力が大きい。第２シートは、第１シートにおける他の面と接着するための一の面と、人体の皮膚と接着するための他の面とを備える。また、第２シートの他の面および人体の皮膚間における単位面積当たりの接着力よりも、第１シートにおける一の面および生体信号取得装置間における単位面積当たりの接着力が大きい。【選択図】図２
2013103040.tif 000002
【特許請求の範囲】
【請求項１】
人体の皮膚に固定した状態で前記人体の生体信号を取得する生体信号取得装置と、
前記生体信号取得装置と接着するための一の面と、他のシートと接着するための他の面とを備え、当該一の面および前記生体信号取得装置間における単位面積当たりの接着力よりも、当該他の面および前記他のシート間における単位面積当たりの接着力が大きい第１シートと、
前記第１シートにおける前記他の面と接着するための一の面と、前記人体の皮膚と接着するための他の面とを備え、当該他の面および前記人体の皮膚間における単位面積当たりの接着力よりも、前記第１シートにおける前記一の面および前記生体信号取得装置間における単位面積当たりの接着力が大きい第２シートと
を具備する電子機器。
【請求項２】
前記第１シートにおける前記一の面と、前記第１シートにおける前記他の面と、前記第２シートにおける前記他の面とのそれぞれには粘着材が設けられ、
前記第１シートにおける前記一の面に係る粘着材の単位面積当たりの粘着力よりも、前記第１シートにおける前記他の面に係る粘着材の単位面積当たりの粘着力が大きく、
前記第２シートにおける前記他の面に係る粘着材の単位面積当たりの粘着力よりも、前記第１シートにおける前記一の面に係る粘着材の単位面積当たりの粘着力が大きい
請求項１記載の電子機器。
【請求項３】
前記第１シートは、前記第１シートにおける前記一の面に係る粘着材と、前記第１シートにおける前記他の面に係る粘着材とが互いに接着されて形成される請求項２記載の電子機器。
【請求項４】
前記第１シートは、前記第１シートにおける前記一の面に係る粘着材が接着される一の面と、前記第１シートにおける前記他の面に係る粘着材が接着される他の面とを有するシート部材を備える請求項２記載の電子機器。
【請求項５】
前記生体信号取得装置は、
前記第１シートにおける前記一の面と接着するための接着面と、
前記接着面の中心部に設けられている凹部と、
前記凹部の底部に設けられ、前記生体信号を取得する生体信号取得部とを備え、
前記第１シートは、前記第１シートにおける前記一の面および前記他の面のそれぞれの中心部に設けられている孔を備え、
前記電子機器は、前記生体信号取得装置および前記第１シートが接着され、前記第１シートおよび前記第２シートが接着されている状態で、前記生体信号取得部と前記凹部と前記孔と前記第２シートにおける前記一の面とにより形成される密閉空間をさらに具備する
請求項１記載の電子機器。
【請求項６】
前記凹部の開口部の周縁と、前記孔の周縁とを略同一とし、
前記凹部の開口部の周縁と前記孔の周縁とが略一致するように前記生体信号取得装置および前記第１シートが接着される
請求項５記載の電子機器。
【請求項７】
前記生体信号取得部は、マイクロフォンである請求項５記載の電子機器。
【請求項８】
前記第２シートにおける前記一の面および前記他の面のそれぞれの面積は、前記第１シートにおける前記一の面および前記他の面のそれぞれの面積よりも大きい請求項１記載の電子機器。
【請求項９】
前記生体信号取得装置は、前記生体信号として、呼吸音、心音、血管音、肺胞音の何れか１つ、または、これらの組合せを取得する請求項１記載の電子機器。
【請求項１０】
前記第２シートは、粘着性フィルムドレッシング材である請求項１記載の電子機器。
【請求項１１】
前記第１シートおよび前記第２シートのそれぞれを識別可能とするための色が、前記第１シートおよび前記第２シートの少なくとも一方に付されている請求項１記載の電子機器。
【請求項１２】
前記第２シートの色を半透明とする請求項１記載の電子機器。
【請求項１３】
前記第２シートにおける前記一の面に格子型の模様が付されている請求項１記載の電子機器。
【発明の詳細な説明】
【技術分野】
【０００１】
本技術は、電子機器に関する。詳しくは、人体に固定した状態で人体の生体信号を取得する電子機器に関する。
【背景技術】
【０００２】
従来、人体の皮膚表面にマイクロフォンを取り付け、その人物の呼吸音、心音、血管音、肺胞音等の生体信号をそのマイクロフォンにより取得する電子機器が存在する。
【０００３】
例えば、両面に接着剤層が設けられている中間シート部材を用いて、センサユニット（集音ユニット）を人体の皮膚表面に貼り付ける生体信号採取装置が提案されている（例えば、特許文献１参照。）。
【先行技術文献】
【特許文献】
【０００４】
【特許文献１】特開２００８−３０２０５２号公報
【発明の概要】
【発明が解決しようとする課題】
【０００５】
上述の従来技術では、中間シート部材およびセンサユニットを貼り付けるための接着剤の接着力について、センサユニット側の接着力を中間シート部材側の接着力よりも大きくしている。このため、生体信号の取得が終了した後にセンサユニットを人体の皮膚表面から取り外す場合において、センサユニットから中間シート部材を剥がす際には、中間シート部材の接着剤層がセンサユニットに残ることになる。
【０００６】
ここで、一般に、接着剤は貼ったり剥がしたりを繰り返すと接着力が低下する傾向がある。このため、使用中にセンサユニットが予期せず剥がれることを防止するため、中間シート部材は、センサユニットを使用する毎に更新することが好ましい。この場合に、上述したように、センサユニットに接着剤層が残っていると、中間シート部材をセンサユニットに適切に接着することができないおそれがある。
【０００７】
本技術はこのような状況に鑑みて生み出されたものであり、人体の皮膚に固定するための固定部材の交換を容易に行うことを目的とする。
【課題を解決するための手段】
【０００８】
本技術は、上述の問題点を解消するためになされたものであり、その第１の側面は、人体の皮膚に固定した状態で上記人体の生体信号を取得する生体信号取得装置と、上記生体信号取得装置と接着するための一の面と、他のシートと接着するための他の面とを備え、当該一の面および上記生体信号取得装置間における単位面積当たりの接着力よりも、当該他の面および上記他のシート間における単位面積当たりの接着力が大きい第１シートと、上記第１シートにおける上記他の面と接着するための一の面と、上記人体の皮膚と接着するための他の面とを備え、当該他の面および上記人体の皮膚間における単位面積当たりの接着力よりも、上記第１シートにおける上記一の面および上記生体信号取得装置間における単位面積当たりの接着力が大きい第２シートとを具備する電子機器である。これにより、第１シートの一の面および生体信号取得装置間における単位面積当たりの接着力よりも、第１シートの他の面および第２シート間における単位面積当たりの接着力を大きくし、第２シートの他の面および人体の皮膚間における単位面積当たりの接着力よりも、第１シートにおける一の面および生体信号取得装置間における単位面積当たりの接着力を大きくして、生体信号取得装置を人体の皮膚に固定させるという作用をもたらす。
【０００９】
また、この第１の側面において、上記第１シートにおける上記一の面と、上記第１シートにおける上記他の面と、上記第２シートにおける上記他の面とのそれぞれには粘着材が設けられ、上記第１シートにおける上記一の面に係る粘着材の単位面積当たりの粘着力よりも、上記第１シートにおける上記他の面に係る粘着材の単位面積当たりの粘着力を大きくし、上記第２シートにおける上記他の面に係る粘着材の単位面積当たりの粘着力よりも、上記第１シートにおける上記一の面に係る粘着材の単位面積当たりの粘着力を大きくするようにしてもよい。これにより、第１シートにおける一の面に係る粘着材の単位面積当たりの粘着力よりも、第１シートにおける他の面に係る粘着材の単位面積当たりの粘着力を大きくし、第２シートにおける他の面に係る粘着材の単位面積当たりの粘着力よりも、第１シートにおける一の面に係る粘着材の単位面積当たりの粘着力を大きくするようにして、生体信号取得装置を人体の皮膚に固定させるという作用をもたらす。
【００１０】
また、この第１の側面において、上記第１シートは、上記第１シートにおける上記一の面に係る粘着材と、上記第１シートにおける上記他の面に係る粘着材とが互いに接着されて形成されるようにしてもよい。これにより、一の面に係る粘着材と、他の面に係る粘着材とが互いに接着されて形成される第１シートを用いて、生体信号取得装置を人体の皮膚に固定させるという作用をもたらす。
【００１１】
また、この第１の側面において、上記第１シートは、上記第１シートにおける上記一の面に係る粘着材が接着される一の面と、上記第１シートにおける上記他の面に係る粘着材が接着される他の面とを有するシート部材を備えるようにしてもよい。これにより、シート部材を備える第１シートを用いて、生体信号取得装置を人体の皮膚に固定させるという作用をもたらす。
【００１２】
また、この第１の側面において、上記生体信号取得装置は、上記第１シートにおける上記一の面と接着するための接着面と、上記接着面の中心部に設けられている凹部と、上記凹部の底部に設けられ、上記生体信号を取得する生体信号取得部とを備え、上記第１シートは、上記第１シートにおける上記一の面および上記他の面のそれぞれの中心部に設けられている孔を備え、上記電子機器は、上記生体信号取得装置および上記第１シートが接着され、上記第１シートおよび上記第２シートが接着されている状態で、上記生体信号取得部と上記凹部と上記孔と上記第２シートにおける上記一の面とにより形成される密閉空間をさらに具備するようにしてもよい。これにより、第１シートおよび第２シートが接着されている状態で、生体信号取得部と凹部と孔と第２シートにおける一の面とにより密閉空間が形成されるという作用をもたらす。
【００１３】
また、この第１の側面において、上記凹部の開口部の周縁と、上記孔の周縁とを略同一とし、上記凹部の開口部の周縁と上記孔の周縁とが略一致するように上記生体信号取得装置および上記第１シートが接着されるようにしてもよい。これにより、凹部の開口部の周縁と孔の周縁とが略一致するように、生体信号取得装置および第１シートが接着されるという作用をもたらす。
【００１４】
また、この第１の側面において、上記生体信号取得部を、マイクロフォンとするようにしてもよい。これにより、生体信号取得部としてマイクロフォンを用いるという作用をもたらす。
【００１５】
また、この第１の側面において、上記第２シートにおける上記一の面および上記他の面のそれぞれの面積を、上記第１シートにおける上記一の面および上記他の面のそれぞれの面積よりも大きくするようにしてもよい。これにより、第２シートにおける両面のそれぞれの面積を、第１シートにおける両面のそれぞれの面積よりも大きくした状態で、第１シートおよび第２シートが接着されるという作用をもたらす。
【００１６】
また、この第１の側面において、上記生体信号取得装置は、上記生体信号として、呼吸音、心音、血管音、肺胞音の何れか１つ、または、これらの組合せを取得するようにしてもよい。これにより、生体信号として、呼吸音、心音、血管音、肺胞音の何れか１つ、または、これらの組合せを取得するという作用をもたらす。
【００１７】
また、この第１の側面において、上記第２シートを粘着性フィルムドレッシング材とするようにしてもよい。これにより、第２シートとして粘着性フィルムドレッシング材を用いるという作用をもたらす。
【００１８】
また、この第１の側面において、上記第１シートおよび上記第２シートのそれぞれを識別可能とするための色を、上記第１シートおよび上記第２シートの少なくとも一方に付すようにしてもよい。これにより、それぞれを識別可能とするための色が付されている第１シートおよび第２シートを用いて、生体信号取得装置を人体の皮膚に固定させるという作用をもたらす。
【００１９】
また、この第１の側面において、上記第２シートの色を半透明とするようにしてもよい。これにより、半透明とする第２シートを用いて、生体信号取得装置を人体の皮膚に固定させるという作用をもたらす。
【００２０】
また、この第１の側面において、上記第２シートにおける上記一の面に格子型の模様を付すようにしてもよい。これにより、一の面に格子型の模様を付されている第２シートを用いて、生体信号取得装置を人体の皮膚に固定させるという作用をもたらす。
【発明の効果】
【００２１】
本技術によれば、人体の皮膚に固定するための固定部材の交換を容易に行うことができるという優れた効果を奏し得る。
【図面の簡単な説明】
【００２２】
【図１】本技術の第１の実施の形態における生体信号取得ユニット１００の使用例を簡略化して示す図である。
【図２】本技術の第１の実施の形態における生体信号取得ユニット１００の構成例を示す断面図である。
【図３】本技術の第１の実施の形態における生体信号取得装置２００の構成例を示す断面図および側面図である。
【図４】本技術の第１の実施の形態における第１粘着シート３００の構成例を示す断面図および側面図である。
【図５】本技術の第１の実施の形態における第２粘着シート４００の構成例を示す断面図および側面図である。
【図６】本技術の第１の実施の形態における生体信号取得ユニット１００を使用している状態を示す断面図である。
【図７】本技術の第１の実施の形態における生体信号取得ユニット１００の使用が終了した後の状態を示す断面図である。
【図８】本技術の第１の実施の形態における第２粘着シート５００の構成例を示す断面図および側面図である。
【図９】本技術の第２の実施の形態における生体信号取得ユニット１１０の構成例を示す断面図である。
【図１０】本技術の第２の実施の形態における粘着シート６００の構成例を示す断面図および側面図である。
【図１１】本技術の第２の実施の形態における粘着シート６００の構成例を示す断面図および側面図である。
【図１２】本技術の第２の実施の形態における生体信号取得ユニット１１０を使用している状態を示す断面図である。
【図１３】本技術の第２の実施の形態における粘着シート７００の構成例を示す断面図および側面図である。
【図１４】本技術の第２の実施の形態における粘着シート７００の構成例を示す断面図および側面図である。
【図１５】本技術の実施の形態における生体信号取得装置２００により取得された生体信号を用いる電子機器の例を示す図である。
【発明を実施するための形態】
【００２３】
以下、本技術を実施するための形態（以下、実施の形態と称する）について説明する。説明は以下の順序により行う。
１．第１の実施の形態（第１粘着シートおよび第２粘着シートを用いて生体信号取得装置を人体の皮膚表面に固定する例）
２．第２の実施の形態（第１粘着シートおよび第２粘着シートに相当する１つのシートを用いて生体信号取得装置を人体の皮膚表面に固定する例）
３．適用例
【００２４】
＜１．第１の実施の形態＞
［生体信号取得ユニットの使用例］
図１は、本技術の第１の実施の形態における生体信号取得ユニット１００の使用例を簡略化して示す図である。なお、生体信号取得ユニット１００の構成（矢印Ａから見た場合における生体信号取得ユニット１００の断面（ＣＳ１−ＣＳ２断面））については、図２を参照して詳細に説明する。
【００２５】
図１では、人物１０の頚部（頸部）２０の皮膚表面３０に生体信号取得ユニット１００を取り付けて使用する状態を示す。人物１０は、生体信号を取得（計測）する対象者であり、例えば、患者、被験者である。
【００２６】
また、生体信号取得ユニット１００に備えられる信号ケーブル２３０は、電子機器５０に接続される。なお、電子機器５０は、生体信号取得ユニット１００により取得された生体信号について各種処理（例えば、Ａ／Ｄ（Analog/Digital）変換処理、信号解析処理）を行うものである。なお、生体信号取得ユニット１００により取得された生体信号について各種処理を行う電子機器の例については、図１５を参照して詳細に説明する。
【００２７】
［生体信号取得ユニットの構成例］
図２は、本技術の第１の実施の形態における生体信号取得ユニット１００の構成例を示す断面図である。また、図２では、生体信号取得ユニット１００とともに、人物１０の頚部２０の断面図を示す。すなわち、図２では、人物１０の頚部２０の皮膚表面３０に生体信号取得ユニット１００を取り付ける前の状態における生体信号取得ユニット１００と皮膚表面３０との関係を簡略化して示す。
【００２８】
生体信号取得ユニット１００は、生体信号取得装置２００と、第１粘着シート３００と、第２粘着シート４００とを備える。なお、生体信号取得ユニット１００は、特許請求の範囲に記載の電子機器の一例である。
【００２９】
生体信号取得装置２００は、ハウジング２１０と、マイクロフォン２２０と、信号ケーブル２３０とを備える。
【００３０】
ハウジング２１０は、円柱形状のハウジングであり、円柱形状の一端面に相当する面が第１粘着シート３００との接着面２１１となる。また、接着面２１１の中心部には、すり鉢状の凹部２１２が形成され、凹部２１２の底部には、マイクロフォン２２０が設けられている。また、ハウジング２１０の内部には中空部２１３が形成され、マイクロフォン２２０に接続されている信号ケーブル２３０が中空部２１３を介してハウジング２１０の外部に出力されている。
【００３１】
なお、本技術の実施の形態では、生体信号取得装置のハウジングとして、円柱形状のハウジングを一例として示すが、他の形状（例えば、角柱形状、円錐形状）のハウジングを用いるようにしてもよい。
【００３２】
マイクロフォン２２０は、生体信号として音を取得する生体信号取得部である。例えば、マイクロフォン２２０は、人物１０の頚部２０の皮膚表面３０に生体信号取得装置２００が取り付けられている状態で、皮膚表面３０から発生される音を生体信号として取得する。例えば、マイクロフォン２２０は、生体信号として、呼吸音、心音、血管音、肺胞音の何れか１つ、または、これらの組合せを取得する。また、マイクロフォン２２０により取得された生体信号は、信号ケーブル２３０を介して外部装置（例えば、図１に示す電子機器５０）に出力される。なお、マイクロフォン２２０は、特許請求の範囲に記載の生体信号取得部の一例である。
【００３３】
例えば、マイクロフォン２２０は、エレクトレットコンデンサーマイクロフォンにより実現される。なお、生体信号取得部として、エレクトレットコンデンサーマイクロフォン以外の他のマイクロフォン（例えば、シリコンマイクロフォン）を用いるようにしてもよい。
【００３４】
また、本技術の実施の形態では、図示およびその詳細な説明を省略するが、生体信号取得装置２００に、電源用の電池、Ａ／Ｄ変換装置、無線通信装置を内蔵するようにしてもよい。なお、電源用の電池は、生体信号取得装置２００に電源を供給する電池である。また、Ａ／Ｄ変換装置は、マイクロフォン２２０により取得された生体信号をＡ／Ｄ変換する装置である。このように、生体信号取得装置２００にＡ／Ｄ変換装置を内蔵する場合には、Ａ／Ｄ変換装置により変換されたデジタル信号を生体信号取得装置２００から出力することができるため、他のＡ／Ｄ変換装置が不要となる。また、無線通信装置は、マイクロフォン２２０により取得された生体信号を無線を介して外部装置に伝送するための装置である。例えば、信号ケーブル２３０が擦れる際にノイズが発生することも想定される。そこで、生体信号取得装置２００に無線通信装置を内蔵することにより、信号ケーブル２３０が擦れる際に発生するノイズを防止することができる。
【００３５】
信号ケーブル２３０は、マイクロフォン２２０により取得された生体信号を外部装置に出力するための信号ケーブルである。
【００３６】
第１粘着シート３００は、両面が接着面となる環状（例えば、図４（ｂ）に示す）のシートであり、シート３１０と、粘着材３２０と、粘着材３３０とを備える。ここで、図４（ｂ）に示すように、皮膚表面３０側から見た場合において、第１粘着シート３００における中心部の孔３０１は円状であり、その周縁のサイズは、生体信号取得装置２００の凹部２１２の開口部の周縁のサイズに略同一である。なお、第１粘着シート３００は、特許請求の範囲に記載の第１シートの一例である。
【００３７】
シート３１０は、一方の面に粘着材３２０が取り付けられ、他方の面に粘着材３３０が取り付けられている環状のシート部材である。シート３１０の材質として、ポリエチレン等の樹脂、不織布等の材質を用いることができる。
【００３８】
粘着材３２０は、一方の面がシート３１０に取り付けられ、他方の面が生体信号取得装置２００への接着面３２１となる環状の粘着材である。皮膚表面３０に生体信号取得装置２００を装着する場合には、粘着材３２０の接着面３２１が、生体信号取得装置２００の接着面２１１に貼り付けられる。
【００３９】
粘着材３３０は、一方の面がシート３１０に取り付けられ、他方の面が第２粘着シート４００への接着面３３１となる環状の粘着材である。皮膚表面３０に生体信号取得装置２００を装着する場合には、粘着材３３０の接着面３３１が、第２粘着シート４００の接着面４１１に貼り付けられる。
【００４０】
第２粘着シート４００は、一方の面が粘着面となる円状（例えば、図５（ｂ）に示す）のシートであり、シート４１０および粘着材４２０を備える。
【００４１】
シート４１０は、一方の面が粘着材４２０に取り付けられ、他方の面が第１粘着シート３００への接着面４１１となる円状のシートである。シート４１０の材質としては、皮膚表面３０の振動を効率的にマイクロフォン２２０に伝えることができる材質を用いることが好ましい。例えば、シート４１０の材質として、アクリル樹脂、ポリウレタン、ナイロン等の材質を用いることができる。また、皮膚表面３０の動きに順応することができるように伸縮性を有するシートを用いることにより、人物１０の皮膚の負担を低減することができる。この特性を有するシートとして、例えば、医療用の粘着性フィルムドレッシング材を用いることができる。なお、ドレッシング材は、皮膚表面を保護するため、巻いたり覆ったりする部材を意味する。
【００４２】
粘着材４２０は、一方の面がシート４１０に取り付けられ、他方の面が皮膚表面３０と接着するための接着面４２１となる円状の粘着材である。皮膚表面３０に生体信号取得装置２００を装着する場合には、粘着材４２０の接着面４２１が、皮膚表面３０に貼り付けられる。
【００４３】
このように、皮膚表面３０に生体信号取得装置２００を装着する場合には、生体信号取得装置２００および第１粘着シート３００が粘着材３２０によって貼り付けられ、第１粘着シート３００および第２粘着シート４００が粘着材３３０によって貼り付けられる。また、第２粘着シート４００および皮膚表面３０が粘着材４２０によって貼り付けられる。
【００４４】
［生体信号取得装置の構成例］
図３は、本技術の第１の実施の形態における生体信号取得装置２００の構成例を示す断面図および側面図である。すなわち、図３（ａ）には、生体信号取得装置２００の断面図を示し、図３（ｂ）には、生体信号取得装置２００の側面図（接着面２１１側（皮膚表面３０側）から見た場合における側面図）を示す。なお、図３（ａ）に示す生体信号取得装置２００の断面図は、時計回りに９０度回転させた点以外は、図２に示す生体信号取得装置２００の断面図と同一であるため、ここでの詳細な説明を省略する。
【００４５】
上述したように、接着面２１１の中心部には、すり鉢状の凹部２１２が形成され、凹部２１２の底部には、マイクロフォン２２０が設けられている。
【００４６】
ここで、凹部２１２を含む接着面２１１に対応する円の半径をＲ１とし、凹部２１２の開口部に対応する円の半径をＲ２とし、接着面２１１の面積をＡ１とする場合には、次の式が成り立つ。
Ａ１＝π（Ｒ１）２−π（Ｒ２）２
【００４７】
［第１粘着シートの構成例］
図４は、本技術の第１の実施の形態における第１粘着シート３００の構成例を示す断面図および側面図である。すなわち、図４（ａ）には、第１粘着シート３００の断面図を示し、図４（ｂ）には、第１粘着シート３００の側面図（接着面３３１側（皮膚表面３０側）から見た場合における側面図）を示す。なお、図４（ａ）に示す第１粘着シート３００の断面図は、時計回りに９０度回転させた点以外は、図２に示す第１粘着シート３００の断面図と同一であるため、ここでの詳細な説明を省略する。
【００４８】
上述したように、第１粘着シート３００には、円柱形状の孔３０１が形成されている。ここで、生体信号取得装置２００の接着面２１１に対応する円の外周のサイズと、第１粘着シート３００に対応する円の外周のサイズとは、同一である。また、凹部２１２の開口部に対応する円の外周のサイズと、第１粘着シート３００の孔３０１に対応する円の外周のサイズとは、同一であるものとする。
【００４９】
このため、第１粘着シート３００に対応する円の半径をＲ３とし、第１粘着シート３００の孔３０１に対応する円の半径をＲ４とし、接着面３３１の面積をＡ２とする場合には、Ｒ１＝Ｒ３、Ｒ２＝Ｒ４、Ａ１＝Ａ２であり、次の式が成り立つ。
Ａ２＝π（Ｒ３）２−π（Ｒ４）２
【００５０】
また、接着面３３１における半径方向の長さをＲ５とする場合には、次の式が成り立つ。
Ｒ５＝Ｒ３−Ｒ４
【００５１】
［第２粘着シートの構成例］
図５は、本技術の第１の実施の形態における第２粘着シート４００の構成例を示す断面図および側面図である。すなわち、図５（ａ）には、第２粘着シート４００の断面図を示し、図５（ｂ）には、第２粘着シート４００の側面図（接着面４２１側（皮膚表面３０側）から見た場合における側面図）を示す。なお、図５（ａ）に示す第２粘着シート４００の断面図は、時計回りに９０度回転させた点以外は、図２に示す第２粘着シート４００の断面図と同一であるため、ここでの詳細な説明を省略する。
【００５２】
上述したように、第２粘着シート４００には、第１粘着シート３００とは異なり、孔が形成されていない。また、第２粘着シート４００の接着面４２１に対応する円の外周のサイズは、第１粘着シート３００に対応する円の外周のサイズよりも大きいものとする。
【００５３】
このため、第２粘着シート４００に対応する円の半径をＲ６とし、接着面４２１の面積をＡ３とする場合には、Ｒ１＝Ｒ３＜Ｒ６、Ａ１＝Ａ２＜Ａ３であり、次の式が成り立つ。
Ａ３＝π（Ｒ６）２
【００５４】
ここで、第１粘着シート３００および第２粘着シート４００と、各粘着材（粘着材３２０、３３０、４２０）の粘着力とについて説明する。
【００５５】
例えば、第１粘着シート３００として、両面の粘着力が異なる両面テープを用いることができる。この両面テープを用いる場合には、一方の面（生体信号取得装置２００を貼り付ける面）の粘着力は、生体信号取得装置２００から剥がす際に、接着面２１１に粘着材が残らない程度の粘着力とすることが好ましい。ただし、この粘着力は、次の関係が成り立つものとする。
【００５６】
また、例えば、第２粘着シート４００として、皮膚の損傷を抑えることが可能であり、呼吸音等の生体信号を通過させることができる程度に薄くて柔らかい医療用フィルム（例えば、片面テープ）を用いることができる。
【００５７】
生体信号取得装置２００および第１粘着シート３００間の単位面積当たりの粘着力（粘着材３２０の単位面積当たりの粘着力）を第１の粘着力ＡＳ１とする。また、第２粘着シート４００および皮膚表面３０間の単位面積当たりの粘着力（粘着材４２０の単位面積当たりの粘着力）を第２の粘着力ＡＳ２とする。また、第１粘着シート３００および第２粘着シート４００間の単位面積当たりの粘着力（粘着材３３０の単位面積当たりの粘着力）を第３の粘着力ＡＳ３とする。この場合に、これらの３つの粘着力の間には、次の関係が成り立つものとする。
ＡＳ２＜ＡＳ１＜ＡＳ３
【００５８】
すなわち、第１粘着シート３００の接着面３２１および生体信号取得装置２００間における単位面積当たりの接着力よりも、第１粘着シート３００の接着面３３１および第２粘着シート４００間における単位面積当たりの接着力が大きくなるように設定される。また、第２粘着シート４００の接着面４２１および皮膚表面３０間における単位面積当たりの接着力よりも、第１粘着シート３００の接着面３２１および生体信号取得装置２００間における単位面積当たりの接着力が大きくなるように設定される。
【００５９】
具体的には、第２の粘着力（粘着材４２０の単位面積当たりの粘着力）ＡＳ２は、第２粘着シート４００を皮膚表面３０から剥がす際に皮膚の損傷が低く抑えられる程度に低く設定される。この場合に、接着面４２１の面積Ａ３は、第２の粘着力ＡＳ２の弱い分を十分に補うだけの広さを有するように設定される。例えば、接着面４２１の単位面積当たりの粘着力を半分にする場合には、接着面４２１の面積Ａ３を２倍にするように設定される。
【００６０】
このように、接着面４２１の面積Ａ３を広く設定することにより、第２の粘着力ＡＳ２を低く抑えることが可能となる。これにより、生体信号取得ユニット１００を皮膚表面３０に安定して固定することができ、生体信号取得ユニット１００を皮膚表面３０から剥がす際には、皮膚表面３０の損傷を抑えることが可能となる。
【００６１】
ここで、仮に、生体信号取得装置２００の凹部２１２の開口部に対応する円の外周のサイズと同一サイズの孔を第２粘着シート４００に設けることを想定する。この場合には、第１粘着シート３００の孔３０１の位置と、第２粘着シート４００の孔との位置を正確に合わせて貼ることが困難となることが想定される。そこで、第２粘着シート４００の形状を、孔を設けない形状とすることにより、接着面４２１の面積Ａ３を広くすることができる。これにより、生体信号取得ユニット１００の使用者が、第１粘着シート３００および第２粘着シート４００を貼り付ける際には、位置合わせを厳密にすることなく容易に貼り付けることができる。
【００６２】
なお、本技術の第１の実施の形態では、第２粘着シート４００の外周のサイズを第１粘着シート３００の外周のサイズよりも大きくする例を示すが、これらのサイズを略同一とするようにしてもよい。例えば、第１粘着シート３００には孔３０１が形成されているのに対し、第２粘着シート４００には孔が形成されていない。このため、第２粘着シート４００の外周のサイズと、第１粘着シート３００の外周のサイズとが同一であっても、第１粘着シート３００の孔３０１に相当する面積だけ、第２粘着シート４００の接着面の面積が広くなる。例えば、狭い部分（例えば、乳児の頚部）に生体信号取得ユニット１００を貼り付ける場合には、第２粘着シート４００の外周のサイズを小さくすることが有効である。
【００６３】
このように、本技術の第１の実施の形態では、第２粘着シート４００における接着面４１１、４２１のそれぞれの面積は、第１粘着シート３００における接着面３２１、３３１のそれぞれの面積よりも大きく設定される。
【００６４】
［生体信号取得ユニットの使用状態例］
図６は、本技術の第１の実施の形態における生体信号取得ユニット１００を使用している状態を示す断面図である。すなわち、図６では、生体信号取得ユニット１００を皮膚表面３０に装着した際における断面を示す。
【００６５】
ここで、図６では、図２に示す生体信号取得ユニット１００における各接着面２１１、３２１、３３１、４１１がそれぞれ貼り付けられ、接着面４２１が皮膚表面３０に貼り付けられた状態の生体信号取得ユニット１００を示す。
【００６６】
図６に示すように、生体信号取得装置２００の凹部２１２の開口部の周縁と、第１粘着シート３００の孔３０１の周縁とが略一致するように、生体信号取得装置２００および第１粘着シート３００が接着される。
【００６７】
また、生体信号取得ユニット１００における各接着面２１１、３２１、３３１、４１１がそれぞれ貼り付けられた状態では、生体信号取得装置２００の凹部２１２と、第１粘着シート３００の孔３０１とにより密閉空間１０１が形成される。すなわち、密閉空間１０１は、生体信号取得装置２００のマイクロフォン２２０および凹部２１２の内側面と、第１粘着シート３００の孔３０１の内側面と、第２粘着シート４００の接着面４１１とで囲まれている閉じた空間である。このように、生体信号取得ユニット１００は、生体信号取得装置２００および第１粘着シート３００が接着され、第１粘着シート３００および第２粘着シート４００が接着されている状態で形成される密閉空間１０１を備える。
【００６８】
例えば、人物（例えば、被験者）１０が呼吸をすると、気道内の気体の振動が皮膚表面３０に伝わる。このように、皮膚表面３０に伝わった振動は、第２粘着シート４００に伝わり、第２粘着シート４００に伝わった振動は、さらに密閉空間１０１内の空気を振動させる。そして、密閉空間１０１内の空気の振動が、マイクロフォン２２０に伝わると、その空気の振動をマイクロフォン２２０が電気信号に変換する。このようにマイクロフォン２２０により変換された電気信号は、信号ケーブル２３０を介して外部装置（例えば、図１に示す電子機器５０）に伝えられる。
【００６９】
このように、密閉空間１０１内の空気を振動させることによりマイクロフォン２２０に皮膚表面３０の振動が伝えられるため、密閉空間１０１が密閉されていることは重要となる。例えば、密閉空間１０１に隙間が存在すると音圧が低下してしまい、マイクロフォン２２０により取得可能な生体信号が著しく小さくなってしまうおそれがある。
【００７０】
そこで、第１粘着シート３００における半径方向の長さ（図４（ｂ）に示すＲ５）は、貼り付け時に部分的な隙間ができない程度に広くする必要がある。例えば、第１粘着シート３００における半径方向の長さ（図４（ｂ）に示すＲ５）を２ｍｍ以上とすることが好ましい。さらには、３ｍｍ以上とすることが好ましい。
【００７１】
図７は、本技術の第１の実施の形態における生体信号取得ユニット１００の使用が終了した後の状態を示す断面図である。すなわち、図７では、人物１０の生体信号の計測が終了した後に、生体信号取得ユニット１００を皮膚表面３０から剥がした際における断面を示す。
【００７２】
例えば、人物１０の生体信号の計測が終了した場合には、皮膚表面３０に貼り付けられている第２粘着シート４００を引っ張ることにより、生体信号取得ユニット１００を皮膚表面３０から剥がすことができる。
【００７３】
ここで、上述したように、第３の粘着力ＡＳ３（第１粘着シート３００および第２粘着シート４００間の単位面積当たりの粘着力）は、第１の粘着力ＡＳ１（生体信号取得装置２００および第１粘着シート３００間の単位面積当たりの粘着力）よりも大きい。このため、第２粘着シート４００を引っ張ることにより生体信号取得装置２００から剥がそうとすると、第１粘着シート３００は、第２粘着シート４００に貼り付いた状態で生体信号取得装置２００から剥がれることになる。
【００７４】
なお、別の手順により、生体信号取得ユニット１００を皮膚表面３０から剥がすようにしてもよい。例えば、生体信号取得装置２００を引っ張ることにより第１粘着シート３００から剥がす場合を想定する。この場合には、第３の粘着力ＡＳ３は第１の粘着力ＡＳ１よりも大きいため、第１粘着シート３００は、第２粘着シート４００に貼りついた状態で、生体信号取得装置２００から剥がれることになる。続いて、第１粘着シート３００が貼り付いた状態の第２粘着シート４００を引っ張ることにより皮膚表面３０から剥がすことができる。
【００７５】
このように、生体信号取得ユニット１００を皮膚表面３０から剥がす場合には、第３の粘着力ＡＳ３が第１の粘着力ＡＳ１よりも大きいため、第１粘着シート３００および第２粘着シート４００が貼り付いた状態とすることができる。このため、第１粘着シート３００を生体信号取得装置２００から容易に剥がすことができる。
【００７６】
ここで、生体信号取得ユニット１００の色について説明する。
【００７７】
例えば、第１粘着シート３００および第２粘着シート４００のそれぞれに異なる色を付すことにより、各粘着シートの存在を容易に確認することができる。
【００７８】
例えば、第１粘着シート３００については、生体信号取得装置２００の色と容易に違いが分かる色を付すことができる。このように第１粘着シート３００に色を付すことにより、生体信号取得装置２００に第１粘着シート３００を貼り忘れたことを、生体信号取得ユニット１００の使用者に容易に気付かせることができる。また、生体信号取得装置２００から第１粘着シート３００を剥がし忘れたことを、生体信号取得ユニット１００の使用者に容易に気付かせることができる。このため、生体信号取得ユニット１００の誤使用を防ぐことができる。
【００７９】
また、第２粘着シート４００については、貼付対象となる皮膚表面３０の色と容易に違いが分かる色を付すことができる。このように第２粘着シート４００に色を付すことにより、例えば、皮膚表面３０に貼り付けられた第２粘着シート４００の上に第１粘着シート３００を貼り付ける場合には、第２粘着シート４００上の位置を容易に確認することができる。このため、第１粘着シート３００の貼り付け間違いを防ぐことができる。
【００８０】
このように、第１粘着シート３００および第２粘着シート４００のそれぞれを識別可能とするための色を、第１粘着シート３００および第２粘着シート４００の少なくとも一方に付すことができる。
【００８１】
ここで、例えば、皮膚表面３０に貼り付けられた第２粘着シート４００の上に第１粘着シート３００を貼り付ける場合を想定する。この場合には、第２粘着シート４００からはみ出した位置への貼り付けや、第２粘着シート４００を貼っていない位置（皮膚表面３０上の位置）への貼り付け等を行うことにより、貼り付け間違いをすることも想定される。
【００８２】
そこで、例えば、第２粘着シート４００の接着面４１１に格子型の模様等を付けることにより、その貼り付け間違いを防止することができる。これにより、第２粘着シート４００に第１粘着シート３００を貼り付ける際における位置合わせを容易にすることができる。また、第２粘着シート４００の色を半透明にすることにより、第２粘着シート４００を貼り付けた部分の皮膚の状態を確認することができる。
【００８３】
［第２粘着シートの他の構成例］
以上では、円形状の第２粘着シート４００を例にして説明したが、円形状以外の第２粘着シートを用いるようにしてもよい。そこで、図８では、円形状以外の第２粘着シートの一例を示す。
【００８４】
図８は、本技術の第１の実施の形態における第２粘着シート５００の構成例を示す断面図および側面図である。すなわち、図８（ａ）には、第２粘着シート５００の断面図を示し、図８（ｂ）には、第２粘着シート５００の側面図（接着面５２１側（皮膚表面３０側）から見た場合における側面図）を示す。
【００８５】
なお、第２粘着シート５００は、接着面５１１および接着面５２１の形状が矩形状である点以外は、図５等に示す第２粘着シート４００と同一である。このため、ここでは、第２粘着シート４００と異なる点を中心に説明し、他の説明についてはその一部を省略する。
【００８６】
ここで、第２粘着シート５００には、第２粘着シート４００と同様に、孔が形成されていない。また、第２粘着シート５００の接着面５２１に対応する矩形の外周のサイズは、第１粘着シート３００に対応する円の外周のサイズよりも大きいものとする。
【００８７】
具体的には、第２粘着シート５００に対応する矩形の長辺をＨ１とし、短辺をＷ１とし、接着面５２１の面積をＡ４とする場合には、Ｒ１＝Ｒ３≦Ｗ１／２≦Ｈ１／２、Ａ１＝Ａ２＜Ａ４であり、次の式が成り立つ。
Ａ４＝Ｈ１×Ｗ１
【００８８】
このように、使用状況に応じて、第２粘着シートとして各種形状の粘着シートを用いることができる。
【００８９】
＜２．第２の実施の形態＞
本技術の第１の実施の形態では、第１粘着シートおよび第２粘着シートを用いて生体信号取得装置を人体の皮膚表面に固定する例を示した。しかしながら、本技術の第１の実施の形態における第１粘着シートおよび第２粘着シートに相当する１つのシートを用いて生体信号取得装置を固定することも考えられる。
【００９０】
そこで、本技術の第２の実施の形態では、本技術の第１の実施の形態における第１粘着シートおよび第２粘着シートに相当する１つのシートを用いて生体信号取得装置を固定する例を示す。
【００９１】
［生体信号取得ユニットの構成例］
図９は、本技術の第２の実施の形態における生体信号取得ユニット１１０の構成例を示す断面図である。また、図９では、生体信号取得ユニット１１０とともに、人物１０の頚部２０の断面図を示す。すなわち、図９では、人物１０の頚部２０の皮膚表面３０に生体信号取得ユニット１１０を取り付ける前の状態における生体信号取得ユニット１１０と皮膚表面３０との関係を簡略化して示す。
【００９２】
生体信号取得ユニット１１０は、生体信号取得装置２００および粘着シート６００を備える。なお、生体信号取得装置２００は、本技術の第１の実施の形態における生体信号取得装置２００と同一である。このため、本技術の第１の実施の形態と共通する部分については、同一の符号を付してその説明の一部を省略する。
【００９３】
粘着シート６００は、両面が接着面となる円状（例えば、図１０（ｂ）および図１１（ｂ）に示す）のシートであり、シート６１０と、粘着材６２１と、粘着材６２２と、粘着材６３０とを備える。ここで、シート６１０は、本技術の第１の実施の形態におけるシート４１０に相当し、粘着材６３０は、本技術の第１の実施の形態における粘着材４２０に相当する。また、粘着材６２１は、本技術の第１の実施の形態における粘着材３２０に相当し、粘着材６２２は、本技術の第１の実施の形態における粘着材３３０に相当する。すなわち、シート６１０および粘着材６３０は、本技術の第１の実施の形態における第２粘着シート４００に相当する。また、粘着材６２１および粘着材６２２は、シート３１０が省略された点以外は、本技術の第１の実施の形態における第１粘着シート３００に相当する。このため、本技術の第２の実施の形態では、本技術の第１の実施の形態と異なる点を中心に説明し、共通する部分については、その説明の一部を省略する。
【００９４】
シート６１０は、一方の面が粘着材６３０に取り付けられ、他方の面が粘着材６２２に取り付けられている円状のシートである。なお、シート６１０の材質等については、シート４１０と同様である。
【００９５】
粘着材６３０は、一方の面がシート６１０に取り付けられ、他方の面が皮膚表面３０と接着するための接着面６３１となる円状の粘着材である。皮膚表面３０に生体信号取得装置２００を装着する場合には、粘着材６３０の接着面６３１が、皮膚表面３０に貼り付けられる。
【００９６】
粘着材６２１および粘着材６２２は、対向する一の面で互いに接着されている環状（例えば、図１０（ｂ）に示す）の粘着材であり、粘着材６２１および粘着材６２２の孔により凹部６４０が形成される。ここで、凹部６４０の開口部の周縁のサイズは、生体信号取得装置２００の凹部２１２の開口部の周縁のサイズと略同一である。
【００９７】
また、粘着材６２１は、粘着材６２２が接着されている面の反対側の面が生体信号取得装置２００への接着面６２３となる。皮膚表面３０に生体信号取得装置２００を装着する場合には、粘着材６２１の接着面６２３が、生体信号取得装置２００の接着面２１１に貼り付けられる。
【００９８】
また、粘着材６２２は、粘着材６２１が接着されている面の反対側の面がシート６１０に取り付けられている。
【００９９】
このように、粘着材６２１、６２２が互いに接着されて形成されるシートが、本技術の第１の実施の形態における第１粘着シート３００に相当するものとなる。
【０１００】
また、皮膚表面３０に生体信号取得装置２００を装着する場合には、生体信号取得装置２００および粘着シート６００が粘着材６２１によって貼り付けられ、粘着シート６００および皮膚表面３０が粘着材６３０によって貼り付けられる。
【０１０１】
ここで、各粘着材（粘着材６２１、６２２、６３０）の粘着力について説明する。生体信号取得装置２００および粘着シート６００間の単位面積当たりの粘着力（粘着材６２１の単位面積当たりの粘着力）を第１の粘着力ＡＳ４とする。また、粘着シート６００および皮膚表面３０間の単位面積当たりの粘着力（粘着材６３０の単位面積当たりの粘着力）を第２の粘着力ＡＳ５とする。また、粘着材６２２およびシート６１０間の単位面積当たりの粘着力（粘着材６２２の単位面積当たりの粘着力）を第３の粘着力ＡＳ６とする。この場合に、これらの３つの粘着力の間には、次の関係が成り立つものとする。
ＡＳ５＜ＡＳ４＜ＡＳ６
【０１０２】
［粘着シートの構成例］
図１０および図１１は、本技術の第２の実施の形態における粘着シート６００の構成例を示す断面図および側面図である。すなわち、図１０（ａ）および図１１（ａ）には、粘着シート６００の断面図を示す。また、図１０（ｂ）には、粘着シート６００の側面図（接着面６２３側（生体信号取得装置２００側）から見た場合における側面図）を示す。また、図１１（ｂ）には、粘着シート６００の側面図（接着面６３１側（皮膚表面３０側）から見た場合における側面図）を示す。なお、図１０（ａ）および図１１（ａ）に示す粘着シート６００の断面図は、時計回りに９０度回転させた点以外は、図９に示す粘着シート６００の断面図と同一であるため、ここでの詳細な説明を省略する。
【０１０３】
図１０に示すように、粘着シート６００には、円柱形状の凹部６４０が形成されている。ここで、生体信号取得装置２００の接着面２１１に対応する円の外周のサイズと、粘着シート６００における粘着材６２１に対応する円の外周のサイズとは、同一であるものとする。また、凹部２１２の開口部に対応する円の外周のサイズと、粘着シート６００の凹部６４０の開口部に対応する円の外周のサイズとは、同一であるものとする。
【０１０４】
ここで、粘着シート６００における粘着材６２１に対応する円の半径をＲ７とし、粘着シート６００の凹部６４０の開口部に対応する円の半径をＲ８とし、接着面６２３の面積をＡ５とする場合には、Ｒ１＝Ｒ７、Ｒ２＝Ｒ８、Ａ１＝Ａ５であり、次の式が成り立つ。
Ａ５＝π（Ｒ７）２−π（Ｒ８）２
【０１０５】
また、接着面６２３における半径方向の長さをＲ９とする場合には、次の式が成り立つ。
Ｒ９＝Ｒ７−Ｒ８
【０１０６】
また、図１１に示すように、粘着シート６００における反対側の面（接着面６３１）には、凹部６４０が形成されていない。また、粘着シート６００における接着面６３１に対応する円の外周のサイズは、粘着シート６００における粘着材６２１に対応する円の外周のサイズよりも大きいものとする。
【０１０７】
このため、粘着シート６００における粘着材６３０に対応する円の半径をＲ１０とし、接着面６３１の面積をＡ６とする場合には、Ｒ１＝Ｒ７＜Ｒ１０、Ａ１＝Ａ５＜Ａ６であり、次の式が成り立つ。
Ａ６＝π（Ｒ１０）２
【０１０８】
なお、各粘着材（粘着材６２１、６２２、６３０）の粘着力と、各接着面（６２３、６３１）の面積との関係については、これらに相当する本技術の第１の実施の形態の関係と略同様であるため、ここでの説明を省略する。
【０１０９】
［生体信号取得ユニットの使用状態例］
図１２は、本技術の第２の実施の形態における生体信号取得ユニット１１０を使用している状態を示す断面図である。すなわち、図１２では、生体信号取得ユニット１１０を皮膚表面３０に装着した際における断面を示す。
【０１１０】
ここで、図１２では、図９に示す生体信号取得ユニット１１０における各接着面２１１、６２３が貼り付けられ、接着面６３１が皮膚表面３０に貼り付けられた状態の生体信号取得ユニット１１０を示す。
【０１１１】
また、生体信号取得ユニット１１０における各接着面２１１、６２３が貼り付けられた状態では、生体信号取得装置２００の凹部２１２と、粘着シート６００の凹部６４０とにより密閉空間１１１が形成される。すなわち、密閉空間１１１は、生体信号取得装置２００のマイクロフォン２２０および凹部２１２の内側面と、粘着シート６００の凹部６４０の内側面および底面（シート６１０の表面）とで囲まれている閉じた空間である。なお、密閉空間１１１は、本技術の第１の実施の形態における密閉空間１０１に対応する。
【０１１２】
なお、密閉空間１１１内の空気の振動によるマイクロフォン２２０の電気信号（生体信号）の取得については、本技術の第１の実施の形態と同様であるため、ここでの説明を省略する。
【０１１３】
ここで、図９および図１２を参照して、人物１０の生体信号の計測が終了した後に、生体信号取得ユニット１１０を皮膚表面３０から剥がす場合について説明する。
【０１１４】
例えば、人物１０の生体信号の計測が終了した場合には、皮膚表面３０に貼り付けられている粘着シート６００を引っ張ることにより、生体信号取得ユニット１１０を皮膚表面３０から剥がすことができる。続いて、生体信号取得装置２００から粘着シート６００を引っ張ることにより、粘着シート６００を生体信号取得装置２００から剥がすことができる。
【０１１５】
なお、別の手順により、生体信号取得ユニット１１０を皮膚表面３０から剥がすようにしてもよい。例えば、生体信号取得装置２００を引っ張ることにより粘着シート６００から剥がす。続いて、生体信号取得装置２００が剥がれた状態の粘着シート６００を引っ張ることにより皮膚表面３０から剥がすことができる。
【０１１６】
ここで、上述したように、ＡＳ５＜ＡＳ４＜ＡＳ６の関係が成り立つ。このため、生体信号取得装置２００から粘着シート６００を引っ張る動作や、皮膚表面３０に貼り付けられている生体信号取得装置２００を直接引っ張る動作を行っても、粘着材６２１、６２２とシート６１０とが剥がれることがない。このため、粘着シート６００を生体信号取得装置２００から容易に剥がすことができる。
【０１１７】
［粘着シートの他の構成例］
以上では、円形状の粘着シート６００を例にして説明したが、円形状以外の粘着シートを用いるようにしてもよい。そこで、図１３および図１４では、円形状以外の粘着シートの一例を示す。
【０１１８】
図１３および図１４は、本技術の第２の実施の形態における粘着シート７００の構成例を示す断面図および側面図である。すなわち、図１３（ａ）および図１４（ａ）には、粘着シート７００の断面図を示す。また、図１３（ｂ）には、粘着シート７００の側面図（接着面７２３側（生体信号取得装置２００側）から見た場合における側面図）を示す。また、図１４（ｂ）には、粘着シート７００の側面図（接着面７３１側（皮膚表面３０側）から見た場合における側面図）を示す。
【０１１９】
なお、粘着シート７００は、接着面７３１（シート７１０および粘着材７３０）の形状が矩形状である点以外は、図１０および図１１等に示す粘着シート６００と同一である。このため、ここでは、粘着シート６００と異なる点を中心に説明し、他の説明についてはその一部を省略する。
【０１２０】
ここで、粘着シート７００における接着面７３１に対応する矩形の外周のサイズは、粘着面７２３に対応する円の外周のサイズよりも大きいものとする。
【０１２１】
具体的には、粘着シート７００における接着面７３１に対応する矩形の長辺をＨ２とし、短辺をＷ２とし、接着面７３１の面積をＡ７とする場合には、Ｒ１＝Ｒ７≦Ｗ２／２≦Ｈ２／２、Ａ１＝Ａ５＜Ａ７であり、次の式が成り立つ。
Ａ７＝Ｈ２×Ｗ２
【０１２２】
このように、使用状況に応じて、粘着シートとして各種形状の粘着シートを用いることができる。
【０１２３】
＜３．適用例＞
本技術の第１および第２の実施の形態では、粘着シートおよび生体信号取得装置により構成される生体信号取得ユニットを人体の皮膚表面に固定する例を示した。このように取得された生体信号については、各種処理を行い、利用することができる。そこで、以下では、生体信号取得ユニットにより取得された生体信号を利用する例を示す。
【０１２４】
［生体信号を用いる電子機器例］
図１５は、本技術の実施の形態における生体信号取得装置２００により取得された生体信号を用いる電子機器の例を示す図である。すなわち、図１５では、生体信号取得装置２００により取得された生体信号（被験者の生体信号）をモニタリングするシステム構成を示す。
【０１２５】
図１５（ａ）には、生体信号について音声出力および記録をする場合におけるシステム構成例を示す。
【０１２６】
例えば、生体信号取得装置２００により取得された生体信号が信号増幅装置８０１およびＡ／Ｄ変換装置８０３に出力される。信号増幅装置８０１は、生体信号取得装置２００から出力された生体信号を増幅してスピーカ８０２に出力し、スピーカ８０２から音声出力させる。このように、生体信号取得装置２００により取得された生体信号をスピーカ８０２から音声出力することにより、生体信号をリアルタイムで聞くことができる。なお、異常時にのみ、その旨の音声をスピーカ８０２から出力するようにしてもよい。
【０１２７】
また、Ａ／Ｄ変換装置８０３は、生体信号取得装置２００から出力された生体信号（アナログ信号）をデジタル信号に変換して記録装置８０４に出力し、記録装置８０４に記録させる。このように、記録装置８０４に生体信号を記録しておくことにより、その生体信号の取得時以降においても、その生体信号を使用することができる。なお、この例では、スピーカ８０２により生体信号を音声出力するとともに、その生体信号を記録装置８０４に記録する例を示した。ただし、このように生体信号の音声出力および記録を同時に行うようにしてもよく、何れか一方のみを行うようにしてもよい。
【０１２８】
図１５（ｂ）には、生体信号について波形表示および記録をする場合におけるシステム構成例を示す。
【０１２９】
例えば、生体信号取得装置２００により取得された生体信号がＡ／Ｄ変換装置８１１に出力される。Ａ／Ｄ変換装置８１１は、生体信号取得装置２００から出力された生体信号（アナログ信号）をデジタル信号に変換してフィルタリング装置８１２に出力する。
【０１３０】
フィルタリング装置８１２は、Ａ／Ｄ変換装置８１１から出力された生体信号（デジタル信号）について所定のフィルタリング処理を行う。このフィルタリング処理は、例えば、必要とする生体信号以外の信号を減衰させる処理である。例えば、必要とする生体信号が呼吸音である場合には、必要とする生体信号以外の信号は、心音等である。このように、必要とする生体信号が呼吸音である場合には、心音等（必要とする生体信号以外の信号）を減衰させる処理がフィルタリング処理として行われる。
【０１３１】
波形表示装置８１３は、フィルタリング装置８１２によりフィルタリング処理が施された生体信号の波形を表示する。このように、生体信号を波形表示装置８１３に表示させることにより、生体信号の状態をモニタ上で視覚的に容易に確認することができる。
【０１３２】
記録装置８１４は、フィルタリング装置８１２によりフィルタリング処理が施された生体信号を記録する。このように、フィルタリング処理が施された生体信号を記録装置８１４に記録しておくことにより、その生体信号の取得時以降においても、その生体信号を使用することができる。なお、この例では、波形表示装置８１３に生体信号を表示するとともに、その生体信号を記録装置８１４に記録する例を示した。このように、生体信号の波形表示および記録を同時に行うようにしてもよく、何れか一方のみを行うようにしてもよい。
【０１３３】
図１５（ｃ）には、生体信号について信号解析結果表示および記録をする場合におけるシステム構成例を示す。
【０１３４】
例えば、生体信号取得装置２００により取得された生体信号がＡ／Ｄ変換装置８２１に出力される。Ａ／Ｄ変換装置８２１は、生体信号取得装置２００から出力された生体信号（アナログ信号）をデジタル信号に変換して信号解析装置８２２に出力する。
【０１３５】
信号解析装置８２２は、Ａ／Ｄ変換装置８２１から出力された生体信号（デジタル信号）について所定の信号解析処理を行う。ここで、例えば、解析対象となる生体信号が呼吸音である場合を想定する。この場合には、信号解析処理として、例えば、単位時間当たりの呼吸回数や呼吸の間隔を求める処理を行う。また、信号解析処理として、例えば、正常状態の呼吸と異常状態の呼吸とを判別する処理を行う。例えば、異常状態の呼吸は、直前の呼吸からの経過時間に基づいて判断することができる。例えば、直前の呼吸から２０秒が経過した場合には、異常状態（例えば、呼吸がつまりそうな状態）の呼吸であると判断される。
【０１３６】
解析結果表示装置８２３は、信号解析装置８２２による信号解析結果を表示する。ここで、解析結果を表示する場合に、単位時間当たりの呼吸回数が設定した閾値（例えば、上限値または下限値）を超えた場合や、異常状態の呼吸を検出した場合等にアラームを表示させたり、アラーム音で知らせたりするようにしてもよい。例えば、直前の呼吸から２０秒が経過した場合には、異常状態の呼吸であると判断されるため、その旨のアラームが表示される（または、その旨のアラームが音声出力される）。また、解析結果を解析結果表示装置８２３に表示する場合には、呼吸回数等よりも高度な情報が得られるため、使用者は他の重要なことに意識を集中することができるようになる。また、異常な状態になったことをアラームで知ることにより、生体信号の状態を使用者が常に観察する必要がなく、使用者の利便性を向上させることができる。
【０１３７】
記録装置８２４は、信号解析装置８２２による信号解析処理の解析結果を記録する。このように、信号解析処理の解析結果を記録装置８２４に記録しておくことにより、その解析結果の取得時以降においても、その解析結果を使用することができる。なお、この例では、解析結果表示装置８２３に信号解析処理の解析結果を表示するとともに、その解析結果を記録装置８２４に記録する例を示した。このように、信号解析処理の解析結果の表示および記録を同時に行うようにしてもよく、何れか一方のみを行うようにしてもよい。
【０１３８】
なお、図１５（ａ）乃至（ｃ）に示す各システム構成について、これらを組み合わせたシステム構成とするようにしてもよい。例えば、図１５（ａ）および（ｃ）を組み合わせることにより、生体信号をリアルタイムで聞くことができるとともに、異常状態をアラームにより確認することもできる。
【０１３９】
ここで、従来、患者の呼吸音や心音等の生体音を観察する際には、聴診器が広く使われている。一般に、聴診器は、患者の皮膚に当てて呼吸音や心音等の聴診音を拾うチェストピース部（生体信号取得部）と、これにより拾われた聴診音をイヤーピース部に伝えるチューブ部と、その聴診音を聞くために耳に差し込むイヤーピース部とから構成されている。
【０１４０】
また、近年では、電子聴診器が実用化され、複数の者が同時に聴診音を聞いたり、聴診音を記録に残したりすることが可能である。また、睡眠時無呼吸症候群の検査等では、生体音（生体信号）を長時間連続してモニタリングする検査方法も増えてきている。ここで、長時間連続してモニタリングする検査方法では、モニタリングの安定性が重要となる。
【０１４１】
例えば、生体信号取得装置が皮膚から剥がれ落ちてしまうと生体音（生体信号）を取得することができなくなる。また、剥がれ落ちていない状態であっても、生体信号取得装置が部分的に剥がれ、皮膚表面から少しだけ浮いた状態になると、生体音（生体信号）を取得することができなくなるおそれがある。この場合において、仮に生体音（生体信号）を取得することができた場合でも、とても小さい音になったり、生体音（生体信号）に周囲の音（環境音）が大きく混ざったりすることも想定される。
【０１４２】
このため、生体音（生体信号）を長時間連続して安定的にモニタリングするためには、生体信号取得装置が皮膚にしっかりと固定されている必要がある。例えば、生体信号取得装置を皮膚に固定するためにゲルシートを使用する技術が提案されている。このように、ゲルシートを使用することにより、生体信号取得装置に内蔵されているマイクロフォンと皮膚表面との間の密閉空間の機密性を確保すると同時に、剥がれ難さを実現することができる。
【０１４３】
このように、生体音（生体信号）を長時間連続して安定的にモニタリングするためには、強い粘着材の使用により、生体信号取得装置の皮膚からの剥がれを防ぐことは重要である。
【０１４４】
ここで、生体信号取得装置を患者の皮膚に装着して生体信号を取得した後には、その使用後に患者の皮膚から生体信号取得装置を剥がす必要がある。しかしながら、生体信号取得装置の装着のために強い粘着材を使用する場合には、生体信号取得装置を剥がす際における患者の皮膚の損傷を防止することが重要である。すなわち、モニタリングの安定性を実現するために生体信号取得装置の皮膚からの剥がれを防ぐとともに、患者の皮膚の損傷を防止することも重要となる。
【０１４５】
ここで、一般に、粘着材は貼ったり剥がしたりを繰り返すと粘着力が低下する傾向がある。このため、生体信号取得装置の固定を行う際に、使用頻度が大きい粘着材を使用する場合には、粘着力が低下した状態で使用するおそれがある。この場合には、使用中に生体信号取得装置が予期せず剥がれるおそれがあるため、粘着材は使用する毎に更新することが好ましい。
【０１４６】
しかしながら、生体信号取得装置から粘着材が剥がれ難いと、剥がす際の使用者の手間が増えてしまう。また、不要な粘着材が生体信号取得装置に部分的に残り、それに気付かずに、その粘着材が残った部分に新たな粘着材を貼り付けて生体信号を取得する場合には、使用中に生体信号取得装置が剥がれてしまうおそれもある。さらに、正確な生体信号を取得することができなくなるおそれもある。
【０１４７】
上述したように、生体信号を長時間連続して安定的にモニタリングするためには、生体信号取得装置を皮膚表面から剥がれ難くしておく必要がある。しかしながら、生体信号取得装置を固定するために強い粘着材を使用してしまうと、生体信号のモニタリングの終了時に、生体信号取得装置を皮膚から取り外すことが困難となることも想定される。すなわち、生体信号取得装置を皮膚から取り外す場合には、皮膚表面の損傷を防止することが重用となる。また、生体信号取得装置から粘着材を取り外し難い場合には、不要に残った粘着材により、次に行うモニタリングに悪影響を与えてしまうおそれがある。
【０１４８】
そこで、本技術の実施の形態では、生体信号取得装置の固定に用いる固定部材（例えば、第１粘着シート３００、第２粘着シート４００、粘着シート６００、）を構成する粘着材の粘着力や面積を適切に設定する。これにより、長時間連続で使用しても皮膚から剥がれ難く、かつ、使用後に皮膚から剥がす際の皮膚の損傷を抑えることができる。また、その固定部材（例えば、第１粘着シート３００、第２粘着シート４００、粘着シート６００、）の交換を容易に行うことができる。
【０１４９】
なお、本技術の実施の形態では、生体信号取得装置として円柱形の形状を有する生体信号取得装置を例にして示したが、円柱形以外の他の形状（例えば、角柱や円錐）を有する生体信号取得装置についても本技術の実施の形態を適用することができる。また、本技術の実施の形態では、頚部に装着して生体信号を取得する生体信号取得装置を例にして説明したが、人体の他の部分（例えば、胸部や腹部）に装着して生体信号を取得する生体信号取得装置についても本技術の実施の形態を適用することができる。
【０１５０】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１５１】
なお、本技術は以下のような構成もとることができる。
（１）  人体の皮膚に固定した状態で前記人体の生体信号を取得する生体信号取得装置と、
前記生体信号取得装置と接着するための一の面と、他のシートと接着するための他の面とを備え、当該一の面および前記生体信号取得装置間における単位面積当たりの接着力よりも、当該他の面および前記他のシート間における単位面積当たりの接着力が大きい第１シートと、
前記第１シートにおける前記他の面と接着するための一の面と、前記人体の皮膚と接着するための他の面とを備え、当該他の面および前記人体の皮膚間における単位面積当たりの接着力よりも、前記第１シートにおける前記一の面および前記生体信号取得装置間における単位面積当たりの接着力が大きい第２シートと
を具備する電子機器。
（２）  前記第１シートにおける前記一の面と、前記第１シートにおける前記他の面と、前記第２シートにおける前記他の面とのそれぞれには粘着材が設けられ、
前記第１シートにおける前記一の面に係る粘着材の単位面積当たりの粘着力よりも、前記第１シートにおける前記他の面に係る粘着材の単位面積当たりの粘着力が大きく、
前記第２シートにおける前記他の面に係る粘着材の単位面積当たりの粘着力よりも、前記第１シートにおける前記一の面に係る粘着材の単位面積当たりの粘着力が大きい
前記（１）に記載の電子機器。
（３）  前記第１シートは、前記第１シートにおける前記一の面に係る粘着材と、前記第１シートにおける前記他の面に係る粘着材とが互いに接着されて形成される前記（２）に記載の電子機器。
（４）  前記第１シートは、前記第１シートにおける前記一の面に係る粘着材が接着される一の面と、前記第１シートにおける前記他の面に係る粘着材が接着される他の面とを有するシート部材を備える前記（２）に記載の電子機器。
（５）  前記生体信号取得装置は、
前記第１シートにおける前記一の面と接着するための接着面と、
前記接着面の中心部に設けられている凹部と、
前記凹部の底部に設けられ、前記生体信号を取得する生体信号取得部とを備え、
前記第１シートは、前記第１シートにおける前記一の面および前記他の面のそれぞれの中心部に設けられている孔を備え、
前記電子機器は、前記生体信号取得装置および前記第１シートが接着され、前記第１シートおよび前記第２シートが接着されている状態で、前記生体信号取得部と前記凹部と前記孔と前記第２シートにおける前記一の面とにより形成される密閉空間をさらに具備する
前記（１）から（４）のいずれかに記載の電子機器。
（６）  前記凹部の開口部の周縁と、前記孔の周縁とを略同一とし、
前記凹部の開口部の周縁と前記孔の周縁とが略一致するように前記生体信号取得装置および前記第１シートが接着される
前記（５）に記載の電子機器。
（７）  前記生体信号取得部は、マイクロフォンである前記（５）または（６）に記載の電子機器。
（８）  前記第２シートにおける前記一の面および前記他の面のそれぞれの面積は、前記第１シートにおける前記一の面および前記他の面のそれぞれの面積よりも大きい前記（１）から（７）のいずれかに記載の電子機器。
（９）  前記生体信号取得装置は、前記生体信号として、呼吸音、心音、血管音、肺胞音の何れか１つ、または、これらの組合せを取得する前記（１）から（８）のいずれかに記載の電子機器。
（１０）  前記第２シートは、粘着性フィルムドレッシング材である前記（１）から（９）のいずれかに記載の電子機器。
（１１）  前記第１シートおよび前記第２シートのそれぞれを識別可能とするための色が、前記第１シートおよび前記第２シートの少なくとも一方に付されている前記（１）から（１０）のいずれかに記載の電子機器。
（１２）  前記第２シートの色を半透明とする前記（１）から（１０）のいずれかに記載の電子機器。
（１３）  前記第２シートにおける前記一の面に格子型の模様が付されている前記（１）から（１０）のいずれかに記載の電子機器。
【符号の説明】
【０１５２】
１０  人物
２０  頚部
３０  皮膚表面
５０  電子機器
１００、１１０  生体信号取得ユニット
１０１、１１１  密閉空間
２００  生体信号取得装置
２１０  ハウジング
２１２  凹部
２１３  中空部
２２０  マイクロフォン
２３０  信号ケーブル
３００  第１粘着シート
３０１  孔
３１０  シート
３２０、３３０  粘着材
４００  第２粘着シート
４１０  シート
４２０  粘着材
５００  第２粘着シート
５１０  シート
５２０  粘着材
６００  粘着シート
６１０  シート
６２１、６２２、６３０  粘着材
６４０  凹部
７００  粘着シート
７１０  シート
７２１、７２２、７３０  粘着材
７４０  凹部
８０１  信号増幅装置
８０２  スピーカ
８０３、８１１、８２１  Ａ／Ｄ変換装置
８０４、８１４、８２４  記録装置
８１２  フィルタリング装置
８１３  波形表示装置
８２２  信号解析装置
８２３  解析結果表示装置
【図１】
2013103040.tif 000003
【図２】
2013103040.tif 000004
【図３】
2013103040.tif 000005
【図４】
2013103040.tif 000006
【図５】
2013103040.tif 000007
【図６】
2013103040.tif 000008
【図７】
2013103040.tif 000009
【図８】
2013103040.tif 000010
【図９】
2013103040.tif 000011
【図１０】
2013103040.tif 000012
【図１１】
2013103040.tif 000013
【図１２】
2013103040.tif 000014
【図１３】
2013103040.tif 000015
【図１４】
2013103040.tif 000016
【図１５】
2013103040.tif 000017